(57)【要約】【課題】  回転操作する際に必要な力を小さくし、かつ良好な防水性を備えた防水スイッチを提供する。【解決手段】  ノブ３と、ノブ３と連結されるスイッチユニット４と、スイッチユニット４を内蔵するケース５と、ノブ３とケース５との間に設けられるパッキン６と、を備えた防水スイッチ１において、パッキン６は、環状のベース部６１と、ベース部６１の側面から突出形成した二つの舌片６２、６３とを備え、ベース部６１がケース５に固定され、二つの舌片６２、６３がノブ３に接するとともに、二つの舌片６２、６３のうち、第１の舌片６２が上側を向き、第２の舌片６３が下側を向くものである。【選択図】図２
2015088230.tif 000002
【特許請求の範囲】
【請求項１】
ノブと、このノブと連結されるスイッチユニットと、前記スイッチユニットを内蔵するケースと、前記ノブと前記ケースとの間に設けられるパッキンと、を備えた防水スイッチにおいて、前記パッキンは、環状のベース部と、前記ベース部の側面から突出形成した二つの舌片とを備え、前記ベース部が前記ケースあるいは前記ノブに固定され、前記二つの舌片が前記ノブあるいは前記ケースに接するとともに、前記二つの舌片のうち、第１の舌片が上側を向き、第２の舌片が下側を向くことを特徴とする防水スイッチ。
【請求項２】
前記ケースは、円筒部を備え、前記ノブは、断面形状が円形の外周を有する突出部を備え、前記ベース部が前記円筒部の内側に固定され、前記二つの舌片が前記ノブの前記突出部の外周に接したことを特徴とする請求項１に記載の防水スイッチ。
【請求項３】
前記ベース部に当接する抜け止め部材を前記突出部の端部に設けたことを特徴とする請求項２に記載の防水スイッチ。
【発明の詳細な説明】
【技術分野】
【０００１】
本発明は、防水スイッチ、特に、プッシュスイッチ機能と回転機能を備えた防水スイッチに関する。
【背景技術】
【０００２】
従来の防水スイッチは、外装ケースと、この外装ケースに収納されるプッシュボタンと、回転性を有し、外装ケースを介してプッシュボタンを押圧するキートップと、外装ケースとキートップの間に配置され、防水性と弾力性を有するパッキンを有し、パッキンは、例えばシリコンゴムや軟質合成樹脂等によって形成され、下部フランジによってボスを締め付けさせ、上部フランジによって軸部を締め付けさせることで中空部を気密封止し、プッシュボタンを防水するものであった（例えば、特許文献１参照）。
【先行技術文献】
【特許文献】
【０００３】
【特許文献１】特開２００９−７０６５７号公報
【発明の概要】
【発明が解決しようとする課題】
【０００４】
従来の防水スイッチでは、下部フランジによってボスを締め付けさせ、上部フランジによって軸部を締め付けさせることで中空部を気密封止し、プッシュボタンを防水するものであったため、下部フランジや上部フランジの締め付け具合によって、スイッチを回転操作する際に大きな力で操作する場合や、あるいは、小さな力で操作可能であっても、防水性が劣るおそれがあるという問題点があった。
【０００５】
そこで、本発明は、上記問題点に鑑みてなされたものであり、回転操作する際に必要な力を小さくし、かつ良好な防水性を備えた防水スイッチを提供することを目的とする。
【課題を解決するための手段】
【０００６】
本発明の防水スイッチは、ノブと、このノブと連結されるスイッチユニットと、前記スイッチユニットを内蔵するケースと、前記ノブと前記ケースとの間に設けられるパッキンと、を備えた防水スイッチにおいて、前記パッキンは、環状のベース部と、前記ベース部の側面から突出形成した二つの舌片とを備え、前記ベース部が前記ケースあるいは前記ノブに固定され、前記二つの舌片が前記ノブあるいは前記ケースに接するとともに、前記二つの舌片のうち、第１の舌片が上側を向き、第２の舌片が下側を向くものである。
【発明の効果】
【０００７】
本発明に係る防水スイッチによれば、回転操作する際に必要な力を小さくし、かつ良好な防水性を備えた防水スイッチを提供することができる。
【図面の簡単な説明】
【０００８】
【図１】本発明の第１実施形態に係る防水スイッチを備えた操作装置の正面図。
【図２】図１中Ａ−Ａ線の断面図。
【図３】同実施形態のパッキンの部分断面斜視図。
【図４】同発明の第２実施形態の断面図。
【発明を実施するための形態】
【０００９】
本発明の第１実施形態に係る防水スイッチ１を、図面を参照して説明する。
【００１０】
防水スイッチ１は、操作装置２などの機器に取り付けられている。防水スイッチ１は、ノブ３と、スイッチユニット４と、ケース５と、パッキン６とを少なくとも備えている。なお、７は、回路基板である。
【００１１】
ノブ３は、合成樹脂からなり、円形の円板部３１と、円板部３１の中央部分に設けた突出部３２と、円板部３１の周縁部分に設けた円筒部３３とを備えている。
【００１２】
突出部３２は、その断面形状が円形の外周を有している。本実施形態では、突出部３２は、その内部に断面形状が、Ｄの字形状の穴部３４を備えている。この穴部３４にスイッチユニット４が挿入されて連結されており、ノブ３の回転操作やプッシュ操作が、スイッチユニット４に伝えられる。また、突出部３２の端部には、抜け止め部材８が固定されている。この抜け止め部材８は、金属製で環状をしている。抜け止め部材８は、突出部３２の端部に設けた保持部３５を熱によって変形することで固定されている。抜け止め部材８は、ノブ３をケース５から抜き取る方向に引いた場合に、パッキン６に接触し、ノブ３の抜けを防止するものである。
【００１３】
スイッチユニット４は、前述したように、回転操作やプッシュ操作可能であり、回路基板７に実装されている。
【００１４】
ケース５は、合成樹脂からなり、スイッチユニット４や回路基板７を内蔵するものである。ケース５は、円筒部５１を備えている。この円筒部５１の内部には、パッキン６を保持する固定用突起５２が設けられている。
【００１５】
パッキン６は、ノブ３とケース４との間に設けられており、ゴムなどの弾性を有する弾性体で形成されている。パッキン６は、環状のベース部６１と、ベース部６１の内側の側面から突出形成した二つの舌片６２、６３とを備えている。また、ベース部６１の外側の側面には、前述した固定用突起５２が嵌り込む溝部６４が設けられており、この溝部６４を固定用突起５２に嵌め込むことによって、ベース部６１が、ケース５の円筒部５１の内側に固定される。
【００１６】
二つの舌片６２、６３は、ベース部６１の内側の側面に切れ目なく設けられている。そして、二つの舌片６２、６３は、共にノブ３に接するものであり、本実施形態では、ノブ３の突出部３２の外周に接している。この二つの舌片６２、６３のうち、第１の舌片６２が、上側を向き、第２の舌片６３が下側を向いている。
【００１７】
また、二つの舌片６２、６３の先端部の断面形状は、円形であり、ノブ３の接触面積を最小とし、ノブ３の操作性を阻害しないものである。
【００１８】
以上のように構成したことによって、回転操作する際に必要な力を小さくし、かつ良好な防水性を備えた防水スイッチを提供することができる。
【００１９】
また、第１の舌片６２が上側を向いて、ノブ３に接することによって、ノブ３とケース５との間から液体が浸入することを抑制することができる。また、第２の舌片６３が下側を向いて、ノブ３に接することによって、例えば、ケース５の内部に対して、外部の気圧が低い、負圧の状態の場合に、ノブ３とケース５との気密を保持することができる。
【００２０】
次に本発明の第２実施形態を図４を用いて説明する。なお、第１実施形態と同一および相当箇所には、同一符号を付し、その詳細な説明は省略する。
【００２１】
第１実施形態では、パッキン６が、ケース５に固定され、パッキン６の二つの舌片６２，６３が、ノブ３に接するものであったが、本実施形態では、パッキン１６が、ノブ３に固定され、パッキン１６の二つの舌片１６２，１６３が、ケース５に接するものである。
【００２２】
ノブ３の突出部３２には、パッキン１６を保持する固定用突起３６が全周に渡って設けられている。
【００２３】
ケース５の円筒部５１の内部には、抜け止め部材８が当接し、ノブ３の抜けを防止する抜け防止部１５３が設けられている。
【００２４】
パッキン１６は、環状のベース部１６１と、ベース部１６１の外側の側面から突出形成した二つの舌片１６２、１６３とを備えている。また、ベース部１６１の内側の側面には、前述した固定用突起３６が嵌り込む溝部１６４が設けられており、この溝部１６４を固定用突起３６に嵌め込むことによって、ベース部１６１が、ノブ３の突出部３２の外側に固定される。
【００２５】
二つの舌片１６２、１６３は、ベース部１６１の外側の側面に切れ目なく設けられている。そして、二つの舌片１６２、１６３は、共にケース５に接するものであり、本実施形態では、ケース５の円筒部５１の内周に接している。この二つの舌片１６２、１６３のうち、第１の舌片１６２が、上側を向き、第２の舌片１６３が下側を向いている。
【００２６】
また、二つの舌片１６２、１６３の先端部の断面形状は、円形であり、ケース５の接触面積を最小とし、ノブ３の操作性を阻害しないものである。
【００２７】
以上のように構成したことによって、回転操作する際に必要な力を小さくし、かつ良好な防水性を備えた防水スイッチを提供することができる。
【００２８】
また、第１の舌片１６２が上側を向いて、ケース５に接することによって、ノブ３とケース５との間から液体が浸入することを抑制することができる。また、第２の舌片１６３が下側を向いて、ケース５に接することによって、例えば、ケース５の内部に対して、外部の気圧が低い、負圧の状態の場合に、ノブ３とケース５との気密を保持することができる。
【産業上の利用可能性】
【００２９】
本発明は、防水スイッチ、特に、プッシュスイッチ機能と回転機能を備えた防水スイッチに利用可能である。
【符号の説明】
【００３０】
１    防水スイッチ
２    操作装置
３    ノブ
４    スイッチユニット
５    ケース
６、１６    パッキン
７    回路基板
８    抜け止め部材
３１    円板部
３２    突出部
３３    円筒部
３４    穴部
３５    保持部
５１    円筒部
５２    固定用突起
６１    ベース部
６２、１６２    第１の舌片
６３、１６３    第２の舌片
６４    溝部
【図１】
2015088230.tif 000003
【図２】
2015088230.tif 000004
【図３】
2015088230.tif 000005
【図４】
2015088230.tif 000006